(57)【要約】  この発明は、複数の薬液カートリッジを挿入可能な分析装置において、誤挿入を確実に防止できると共に、輸送時における樹脂製袋の破損や誤挿入防止手段の脱着の心配が無く、カートリッジ装着の際も安全であることに加えて、異なったカートリッジ受入部にも対応でき、かつ、カートリッジ受入部の数がどんなに多くなった場合でも容易に対応可能な、誤挿入防止手段の提供することを目的とする。  液体供給口（１４１）を備えた液体パック（１４０）を内部に装着するカートリッジ（１００）であって、前記カートリッジ（１００）の一側面上に設けられ、装着された前記液体パック（１４０）の前記液体供給口（１４１）とその位置が整合する第一開口部（１２２）と、前記第一開口部（１２２）が設けられた前記側面上又はこれと異なる側面上に設けられた複数の第二開口部（１２３）と、前記複数の第二開口部（１２３）の少なくとも一部を閉鎖する部材（１３０）を保持する保持機構（１２４）とを有する。
2007132520.tif 000002
【特許請求の範囲】
【請求項１】
液体供給口を備えた液体パックを内部に装着するカートリッジであって、
前記カートリッジの一側面上に設けられ、装着された前記液体パックの前記液体供給口とその位置が整合する第一開口部と、
前記第一開口部が設けられた前記側面上又はこれと異なる側面上に設けられた複数の第二開口部と、
前記複数の第二開口部の少なくとも一部を閉鎖する部材を保持する保持機構とを有するカートリッジ。
【請求項２】
前記複数の第二開口部は、前記保持機構による前記部材の保持態様を変更することにより、同一部材であっても、異なる閉鎖パターンが構築され得る位置に設けられている、請求項１記載のカートリッジ。
【請求項３】
前記機構を複数有する、請求項１又は２記載のカートリッジ。
【請求項４】
請求項１〜３のいずれか一項記載のカートリッジ用である、一又は複数の第三開口部を有する部材。
【請求項５】
請求項１〜３のいずれか一項記載のカートリッジを挿入可能であると共に、前記カートリッジ装着時には、前記第一開口部とその位置が整合する一の液体供給針と、前記複数の第二開口部のいずれかとその位置が整合する一又は複数の棒状部材とを内部に備えた、複数のカートリッジ受入部を有する装置。
【請求項６】
前記棒状部材が一つの場合には、少なくとも複数のカートリッジ受入部に関し、当該棒状部材の位置が、当該複数のカートリッジ受入部毎に異なっており、前記棒状部材が複数の場合には、少なくとも複数のカートリッジ受入部に関し、当該棒状部材の少なくとも一部の位置が、当該複数のカートリッジ受入部毎に異なっている、請求項５記載の装置。
【請求項７】
前記一又は複数の棒状部材は、前記挿入方向に突出している、請求項５又は６記載の装置。
【請求項８】
前記液体供給針は、前記挿入方向に沿って突出していると共に、前記一又は複数の棒状部材は、前記液体供給針よりも長い、請求項７記載の装置。
【請求項９】
前記液体供給針を介して、二種類以上の前記液体パックから二液以上を導入する手段と、当該二液以上を混合する手段を備えた、請求項５〜８のいずれか一項記載の装置。
【請求項１０】
分析装置又は飲料自動販売機である、請求項５〜９のいずれか一項記載の装置。
【請求項１１】
フロー分析装置である、請求項１０記載の装置。
【発明の詳細な説明】
【技術分野】
【０００１】  本発明は、液体導入機能を備えた装置に適用される技術、例えば、薬液を系内に導入可能な分析装置に適用される技術に関するものであり、より詳細には、薬液供給針を介して薬液パック内の薬液を分析系に導入することによりサンプル中の所定成分を分析可能な分析装置及びそれに用いる薬液パック収納用カートリッジに関する。
【背景技術】
【０００２】  近年、様々な分野で、微量成分又は超微量成分の定量又は半定量分析技術が検討されている。例えば、半導体プロセスにおいては、Ｓｉウエハの洗浄その他の洗浄工程、露光・現像工程、エッチング工程において、様々な薬液が用いられる。これらの薬液に金属不純物が混入している場合、サブｐｐｂ乃至はｐｐｔオーダーであっても、製品性能・歩留まりに深刻な悪影響を及ぼすことがあるので、当該濃度の不純物測定は極めて重要である。【０００３】  更に、前記薬液の分析に至るまでの流れは、（１）薬液毎にサンプルを採取し、（２）濃縮等で検出感度を高める処理を行った後、（３）ＩＣＰ−ＭＳ（Ｉｎｄｕｃｔｉｖｅｌｙ  ｃｏｕｐｌｅｄ  ｐｌａｓｍａ−ｍａｓｓ  ｓｐｅｃｔｒｏｍｅｔｅｒ：誘導結合プラズマ質量分析）などの高感度分析装置により分析を行う、である。このような方法では、試料濃縮などの処理が必要なために、分析結果が出るまでに最短でも一日程度要し、その結果、薬液の不純物濃度が高いと判断された場合は、それにかかる製品をすべて廃棄するなどの無駄を生じ、結果として、歩留まりの低下を引き起こしていた。加えて、前記手法では、サンプルが測定されるまでの間、濃縮プロセス等の複数の工程を介在させるので、汚染の機会が増え、必ずしも超微量分析に適した手法とはいえない。そこで、微量の金属元素をオンサイトで分析する手法として、フロー分析（フローインジェクション分析）を適用する手法が提案されている（特許文献１）。この手法によれば、サンプルがリアルタイムかつ自動的に反応系に導かれるので、汚染の危険性が相当低減される。【０００４】  ここで、前記フロー分析は、分析に必要な薬液を封入した溶液バッグを用いることにより、完全閉鎖系測定システムとすることができ、測定環境からの汚染を遮断することが可能となる。これに加え、測定後、瞬時に測定結果が得られ、更には手軽に持ち運びでき、装置調整も簡単であることから、オンサイト分析が可能である。そのため、半導体プロセス中に設置し、その結果を半導体プロセスに直ちに反映できる。【０００５】  ここで、分析に際しては、通常複数種の薬液を用いるので、これに対応させて複数の薬液パックを分析装置に取り付ける必要がある。そこで、当該取り付けの便宜上、当該薬液パックを薬液パック収納用カートリッジに収納した上で、当該カートリッジをカートリッジ受入部に挿入するという、あたかも引出しのような形式の分析装置が提案されている。ここで、当該カートリッジ受入部側では、薬液供給針が挿入方向に突出しており、カートリッジを挿入すると、当該薬液供給針はカートリッジに設けられた開口部を介して薬液パックの薬液供給口（スパウト）に当接し、更なる挿入により、当該薬液供給針が薬液供給口を挿通する結果、薬液パック内の薬液するカートリッジ内の薬液が分析装置内に導入される。
【特許文献１】特開２００４−１６３１９１
【発明の開示】
【発明が解決しようとする課題】
【０００６】  ここで、当該分析装置、特に、例えば半導体プロセスにおける各種液中に含まれる超微量成分（例えば金属成分）の分析装置においては、前記のように、汚染には特に配慮する必要があることに加え、他の薬液の僅かな汚染も超微量分析に影響を与えかねない。そこで、このような汚染が、例えば、カートリッジを誤って逆向きに挿入してしまったり、本来別のカートリッジ受入部に挿入すべきカートリッジを誤って挿入してしまった場合に発生し得ることを踏まえ、従来の分析装置においては、図１９に示すように、カートリッジの左右両側面（挿入方向に対して左右両側面）に金属製のピンを固定する手法が採用されている。例えば、図１９に示す態様は、６箇所のカートリッジ受入部が存在する分析装置に対応可能なものであり、例えば図に示すように上から３個目の孔に金属製のピンが固定されている場合、上から３段目のカートリッジ受入部にのみ当該カートリッジが挿入可能なように構成されている。【０００７】  しかしながら、誤挿入防止手段としてこのような金属製のピンを用いた場合、当該ピンを取り付けた状態で輸送すると、当該ピンとの接触により、当該カートリッジを包装する樹脂製袋が破損することがある。このような場合、せっかく外部との汚染を極力回避するために樹脂製袋内にカートリッジを封入していても、当該汚染回避の努力が無になるという問題を生じる。また、当該ピンは、水平方向に挿入されているので、必ずしも安定な状態で側壁に固定されているとはいい難く、輸送の際に外れてしまうこともある。この場合には、誤挿入防止手段が無いので、誤ったカートリッジ受入部に挿入される事態を招く。更には、金属製のピンが突出していると、操作者が思わぬ怪我をする可能性もあり、安全上決して好ましいとはいえない。加えて、異なるカートリッジ受入部に装着したい場合には、いちいち金属製のピンの取り外しと取り付けを行う必要があり、操作者にとっては非常に煩わしい。更には、当該手段では、カートリッジ受入部の数だけ上下方向に孔を設ける必要があり、ある程度の数しか対応できないという問題もある。【０００８】  そこで、本発明は、誤挿入を確実に防止できると共に、輸送時における樹脂製袋の破損や誤挿入防止手段の脱着の心配が無く、カートリッジ装着の際も安全であることに加えて、異なったカートリッジ受入部にも対応でき、かつ、カートリッジ受入部の数がどんなに多くなった場合でも容易に対応可能な、誤挿入防止手段を提供することを目的とする。
【課題を解決するための手段】
【０００９】  本発明（１）は、液体供給口（薬液供給口１４１）を備えた液体パック（薬液パック１４０）を内部に装着するカートリッジ（薬液パック収納用カートリッジ１００）であって、
前記カートリッジ（薬液パック収納用カートリッジ１００）の一側面上に設けられ、装着された前記液体パック（薬液パック１４０）の前記液体供給口（薬液供給口１４１）とその位置が整合する第一開口部（第一開口部１２２）と、
前記第一開口部（第一開口部１２２）が設けられた前記側面上又はこれと異なる側面上に設けられた複数の第二開口部（第二開口部１２２）と、
前記複数の第二開口部（第二開口部１２２）の少なくとも一部を閉鎖する部材（プレート１３０）を保持する保持機構（プレート受け部１２４）と
を有するカートリッジ（薬液パック収納用カートリッジ１００）であって、前記複数の第二開口部（第二開口部１２２）のうち、閉鎖される第二開口部（第二開口部１２２）の組み合わせが前記液体パック（薬液パック１４０）に充填されている液体種別に応じることを特徴とするカートリッジ（薬液パック収納用カートリッジ１００）である。【００１０】  ここで、より具体的には、第一開口部は、液体パック装着時においては、装着された液体パックの液体供給口とその位置が整合すると共に、装置へのカートリッジ装着時においては、前記カートリッジ内部への液体供給針の侵入を許容する。また、複数の第二開口部は、装置へのカートリッジ装着時においては、開状態においては前記カートリッジ内部への棒状部材の侵入を許容すると共に、閉状態においては前記カートリッジ内部への棒状部材の侵入を禁止する。更に、保持機構は、前記複数の第二開口部の開状態・閉状態パターンを構築する部材を保持する。【００１１】  ここで、第一態様として、第一開口部が第二開口部と同一側面上に設けられている場合を挙げることができる。この場合、第一開口部と第二開口部は、いずれも挿入方向の前面に位置していることが好適である。このような構成を採ることにより、装置のカートリッジ受入部に設置される棒状部材や液体供給針を固定的に設置することが可能となる。但し、第一開口部と第二開口部は、いずれも挿入方向の前面と異なる面（例えば挿入方向の前面と９０度の位置関係にある側面）に設けてもよい。この場合は、例えば、カートリッジをカートリッジ受入部に装着した後、当該装着に基づく信号を受けて、棒状部材可動機構を介して、まず棒状部材が第二開口部に向けて挿入される。ここで、当該棒状部材とその位置が整合する当該カートリッジの第二開口部が「開状態」である場合には、当該棒状部材の当該カートリッジ内部への挿入が許容される（誤挿入防止機構をクリア）。そして、誤挿入防止機構をクリアした場合、当該クリアに基づく信号を受けて、液体供給針可動機構を介して、液体供給針が第一開口部に向けて挿入される。【００１２】  次に、第二態様として、第一開口部が第二開口部と異なる側面上に設けられている場合を挙げることができる。この場合、第二開口部は、挿入方向の前面に位置することが好適である。このような構成を採ることにより、装置のカートリッジ受入部に設置される棒状部材を固定的に設置することが可能となる。具体的には、例えば、カートリッジをカートリッジ受入部に挿入した際、挿入方向に沿ってカートリッジ受入部に固定的に設置された当該棒状部材とその位置が整合する第二開口部が「開状態」である場合には、当該棒状部材の当該カートリッジ内部への挿入が許容される（誤挿入防止機構をクリア）。そして、誤挿入防止機構をクリアした場合、当該クリアに基づく信号を受けて、液体供給針可動機構を介して、液体供給針が第一開口部に向けて挿入される。尚、前記の例は、第一開口部が挿入方向の前面に設置されていない場合であるが、例えば前面が段差状になっている場合等、第一開口部とは異なる面ではあるが、第二開口部が挿入方向の前面に位置する場合も想定される。この場合には、液体供給針を固定的に設置することが可能となる。【００１３】  本発明（２）は、前記複数の第二開口部（第二開口部１２２）は、前記保持機構（プレート受け部１２４）による前記部材（プレート１３０）の保持態様を変更することにより、同一部材であっても、異なる閉鎖パターン（又は開状態・閉状態パターン）が構築され得る位置に設けられている、前記発明（１）のカートリッジ（薬液パック収納用カートリッジ１００）である。【００１４】  本発明（３）は、前記機構（プレート受け部１２４）を複数有する、前記発明（１）又は（２）のカートリッジ（薬液パック収納用カートリッジ１００）である。【００１５】  本発明（４）は、前記発明（１）〜（３）のいずれか一つのカートリッジ（薬液パック収納用カートリッジ１００）用である、一又は複数の第三開口部（第三開口部１３１）を有する部材（プレート１３０）である。ここで、具体的には、カートリッジが当該部材を保持した状況下では、当該一又は複数の第三開口部は、前記複数の第二開口部のいずれかとその位置が整合する結果、前記複数の第二開口部（第二開口部１２２）の閉鎖パターン（又は開状態・閉状態パターン）が構築される。【００１６】  ここで、当該部材一例は、形状が略方形であるものである。このように構成することにより、前記機構（プレート受け部１２４）への当該部材（プレート１３０）の挿入パターンとして、同一部材でありながら、前記部材（プレート１３０）の一方の面を前記一側面（側壁１２０ａ）に対向させた形で挿入する第一態様、前記第一態様において前記部材（プレート１３０）の上下を逆にした第二態様、前記第一態様において前記部材（プレート１３０）の表裏を逆にした第三態様、及び、前記第三態様において前記部材（プレート１３０）の上下を逆にした第四態様、からなる４種類の挿入パターンを構築することが可能となる。更に、略方形が略正方形である場合には、前記機構（プレート受け部１２４）への当該部材（プレート１３０）の挿入パターンとして、同一部材でありながら、前記四態様の他、前記第一態様において前記プレートを右回りに９０度回転させて縦横を逆にした第五態様、前記第一態様において前記プレートを左回りに９０度回転させて縦横を逆にした第六態様、前記第三態様において前記プレートを右回りに９０度回転させて縦横を逆にした第七態様、及び、前記第三態様において前記プレートを左回りに９０度回転させて縦横を逆にした第八態様を更に構築し得る。【００１７】  本発明（５）は、前記発明（１）〜（３）のいずれか一つのカートリッジ（薬液パック収納用カートリッジ１００）を挿入可能であると共に、前記カートリッジ装着時には、前記第一開口部（第一開口部１２２）とその位置が整合する一の液体供給針（薬液供給針１１）と、前記複数の第二開口部（第二開口部１２２）のいずれかとその位置が整合する一又は複数の棒状部材（ガイド部材１２）とを内部に備えた、複数のカートリッジ受入部（カートリッジ受入部１０）を有する装置である。【００１８】  ここで、棒状部材の数は、一本でなくとも二本以上であってもよい。このように複数の棒状部材が存在する場合には、当該すべての棒状部材の貫通を許容するためには、第二開口部と第三開口部の重なり（整合部）が当該複数個形成される必要がある。例えば、棒状部材が二本存在している場合（便宜上、棒状部材ＡとＢという）には、部材に設けられた複数ある第三開口部の一つである第三開口部Ａの位置が、複数ある第二開口部の一つである第二開口部Ａの位置と整合する結果、例えば、装置本体から挿入方向に沿って薬液供給針よりも長く突出した棒状部材Ａが、整合した第二開口部Ａ及び第三開口部Ａの重なりを介してカートリッジ内に侵入すると共に、プレートに設けられた複数ある第三開口部の一つである第三開口部Ｂの位置が、複数ある第二開口部の一つである第二開口部Ｂの位置と整合する結果、例えば、装置本体から挿入方向に沿って薬液供給針よりも長く突出した棒状部材Ｂが、整合した第二開口部Ｂ及び第三開口部Ｂの重なりを介してカートリッジ内に侵入する。【００１９】  本発明（６）は、前記棒状部材（ガイド部材１２）が一つの場合には、少なくとも複数のカートリッジ受入部（カートリッジ受入部１０）に関し、当該棒状部材（ガイド部材１２）の位置が、当該複数のカートリッジ受入部（カートリッジ受入部１０）毎に異なっており、前記棒状部材（ガイド部材１２）が複数の場合には、少なくとも複数のカートリッジ受入部（カートリッジ受入部１０）に関し、当該棒状部材（ガイド部材１２）の少なくとも一部の位置が、当該複数のカートリッジ受入部（カートリッジ受入部１０）毎に異なっている、前記発明（５）の装置である。【００２０】  本発明（７）は、前記一又は複数の棒状部材（ガイド部材１２）は、前記挿入方向に突出している、前記発明（５）又は（６）の装置である。【００２１】  本発明（８）は、前記液体供給針（薬液供給針１１）は、前記挿入方向に沿って突出していると共に、前記一又は複数の棒状部材（ガイド部材１２）は、前記液体供給針（薬液供給針１１）よりも長い、前記発明（７）の装置である。【００２２】  本発明（９）は、前記液体供給針（薬液供給針１１）を介して、二種類以上の前記液体パック（薬液パック１４０）から二液以上を導入する手段と、当該二液以上を混合する手段を備えた、前記発明（５）〜（８）のいずれか一つの装置である。【００２３】  本発明（１０）は、分析装置又は飲料自動販売機である、前記発明（５）〜（９）のいずれか一つの装置である。【００２４】  本発明（１１）は、フロー分析装置である、前記発明（１０）の装置である。【００２５】  ここで、本明細書における各用語の意義について説明する。まず、「複数の第二開口部の開状態・閉状態パターン」とは、カートリッジの外側からカートリッジの一側面を眺めた際の、複数の第二開口部が織り成す開状態・閉状態のパターンを指す（例えば、図７及び図８参照）。「開状態」とは、第二開口部を介して外側から内側へ棒状部材が侵入可能な状態を指し、「閉状態」とは、第二開口部を介して外側から内側へ棒状部材が侵入不能な状態を指す。「部材の保持態様」とは、例えば、機構の構造が不変であり部材の保持方向が異なる場合（以下の最良形態での態様）のみならず、機構の構造が変化する場合をも包含する（例えば、機構の一方がスライドすることにより、異なる大きさの部材が挿入可能な場合）。「分析」とは、定性分析、定量分析、半定量分析のい���れか又はこれらの組み合わせを指す。「分析装置」とは、分析の際に薬液を使用する分析に係る装置であれば特に限定されない。「薬液」とは、分析に関与する液体である限り特に限定されず、反応液、バッファ液、中和液、希釈用の水、洗浄水等を例示することができる。「微量金属」の「微量」とは、対象金属の含有量が１０−７オーダー（ｐｐｂ）以下である場合を指し、「超微量金属」の「超微量」とは、対象金属の含有量が１０−８オーダー（サブｐｐｂ）以下（より好適には１０−９オーダー以下）である場合を指す。尚、下限値は特に制限されないが、通常１０−１２オーダー（ｐｐｔ）である。「二液以上を混合する」とは、異なる液体パックに由来する二液以上を混合することを意味する。「飲料自動販売機」とは、濃縮液カートリッジを装着可能な自動販売機を指す。
【発明の効果】
【００２６】  本発明によれば、誤挿入を確実に防止できると共に、輸送時における樹脂製袋の破損や誤挿入防止手段の脱着の心配が無く、カートリッジ装着の際も安全であることに加えて、異なったカートリッジ受入部にも対応でき、かつ、カートリッジ受入部の数がどんなに多くなった場合でも容易に対応可能であるという効果を奏する。
【発明を実施するための最良の形態】
【００２７】  以下、図面を参照しながら、棒状部材と液体供給針がカートリッジ受入部に固定的に設置されていると共に、第一開口部と第二開口部が挿入方向の前面に設置された態様を説明する。まずはじめに、本最良形態に係る分析装置の全体構成を説明する。尚、本最良形態においては、サンプル液中に含まれている分析対象元素を定量又は半定量的に測定可能なフロー分析装置又はフローインジェクション分析装置を例にとって説明することとする。ここで、このフロー分析（ＦＡ）とは、例えば、サンプルを流路内に流しておいて、連続的又は適当な間隔で薬液を注入し、当該反応液からの応答を検出し、前記サンプル内の分析対象物濃度を定量的に測定する手法である。図１８を参照しながら説明すると、サンプル液導入部２（２）から導入されたサンプル液Ｓは、図示しないポンプにより連続的に流路内に送液される。そして、流路内にサンプル液Ｓが存在する状況下、限定された時間だけポンプ（図示せず）をシンクロ作動させることにより、発色液Ｒ（２）及び発色補助液｛酸化液Ｏ（２）、緩衝液Ｂ（２）｝が同時に流路内に注入される。これにより、流路内のある一部分だけサンプルと薬液が混合した状態となり、当該混合液が発色反応を起こす。そして、当該混合液は、やがて下流の測定部１７（２）に到達し、ここで吸光度が測定される。他方、混合していない部分（即ち、サンプル液のみ）の吸光度も測定され、差Δに基づき、サンプル液中の分析対象物の濃度を決定する。また、フローインジェクション分析（ＦＩＡ）とは、フロー分析の一種であり、流路にキャリア（試料を運ぶ流体）を流しておき、適時、キャリア中を分析試料に置きかえて、これら検出元素が発色する反応試薬と反応させて、キャリアの吸光度と分析試料の吸光度との差Δを検出して元素濃度を分析する方法である。すなわち、ＦＩＡにおいては、キャリアと反応試薬を混合して、これを攪拌・分散等によってよく混ぜた後に、元素濃度を検出する検出器によって濃度検出（典型的には吸光度分析による吸光度の測定）を行うのであるが、キャリアをある時点において、試料に置き換えることによって、吸光度の差分を測定することによって試料濃度を測定するものである。尚、特開２００４−１６３１９１号公報（特願２００２−３２７７２０号）の内容は、本明細書に組み込まれるものとする。【００２８】  本発明に係る薬液パックは、このようなＦＡやＦＩＡにおいて使用する薬液を密封したものであり、当該薬液パックを分析装置に装着する際には、まず、薬液パック収納用カートリッジ内に薬液パックをセットし、次に、装置側に設けられたカートリッジ受入部に当該カートリッジを挿入することにより実行する。以下、本発明の特徴であるこれらについて詳述する。【００２９】  まず、図１を参照しながら、分析装置１の薬液パック収納用カートリッジ受入部１０を詳述する。図のように、略直方体状の空間を有するカートリッジ受入部１０が、段状に複数（図では３段）形成されている。ここで、当該カートリッジ受入部１０の前面は、後述する薬液パンク収納用カートリッジ１００を挿入するために略方形に開口しており、その大きさは、後述する薬液パック収納用カートリッジ１００よりも若干大きくかつ��入後における薬液パック収納用カートリッジ１００の左右方向の移動を規制するサイズに設定されている。尚、本最良形態においては、左右面はフラットに形成されているが、薬液パック収納用カートリッジ１００の装着・脱着の際のスライド移動を補助するためにガイドレールを設けてもよい。そして、当該薬液パック収納用カートリッジ受入部１０の奥面１０ａには、略中央に薬液供給針１１が突出している。ここで、当該薬液供給針１１の設置場所は、すべてのカートリッジ受入部１０で共通している。そして、薬液供給針１１の長さは、薬液パック収納用カートリッジ１００を当該カートリッジ受入部１０に完全に挿入した際、当該薬液パック収納用カートリッジ１００に設けられた後述する第一開口部１２２を介して、内部に固定された薬液パック１４０の薬液供給口１４１に挿通される長さに設定されている。次に、当該薬液パック収納用カートリッジ受入部１０の奥面１０ａには、前記薬液供給針１１に加え、そこへの装着が許可されている薬液パック収納用カートリッジ１００のみを挿入可能とすることを担保するためのガイド部材（誤挿入防止用棒状部材又は識別用棒状部材ともいい得る）１２も突出している。ここで、当該ガイド部材１２の設置場所は、異なる種類の薬液がセットされないように、カートリッジ受入部１０間で相違している。そして、ガイド部材１２の長さ｛図１７（ｂ）の「Ｙ」参照｝は、前記薬液供給針１１｛図１７（ｂ）の「Ｘ」参照｝よりも長く設定されている。これにより、薬液パック収納用カートリッジ１００の取り付けや交換作業を行う際に、例えば装着する方向を間違え、逆方向にして挿入したような場合でも、薬液パック収納用カートリッジ１００が薬液供給針１１の先端に接触して薬液供給針１１を損傷させたり汚染させるといった事態を回避することができる。【００３０】  次に、図２〜図８を参照しながら、薬液パック収納用カートリッジ１００を詳述する。まず、図２に示すように、薬液パック収納用カートリッジ１００は、蓋部材１１０とベース部材１２０とから構成される。尚、当該図においては、説明の便宜上、蓋部材１１０及びベース部材１２０のいずれも概観形状のみが記載されているが、実際には、以後の図に記載されているように、例えば、蓋部材１１０に関しては、内部に薬液パック挟持部（正確には第一挟持部材１１１）が設置されており、ベース部材１２０に関しては、挿入面には複数の第二開口部１２３が設けられていると共に、内部にはプレート受け部１２４等が設置されている。そこで、当該図を説明すると、まず、蓋部材１１０の左右面には、二列のガイドレール１１２が夫々の内側に形成されている。そして、ベース部材１２０の左右面にも、前記二列のガイドレール１１２に対応した箇所に、二列のガイド溝１２５が夫々の外側に形成されている。これらガイドレール１１２とガイド溝１２５の協同により、蓋部材１１０をベース部材１２０の正しい位置に確実に被せることが可能になると共に、装着後も、蓋部材１１０がベース部材１２０に対してズレる（特に挿入方向へのズレ）ことも確実に防止することができる。尚、装着後の上下方向の脱着を防止するためには、例えば、蓋部材１１０の左右面の幅（下端における内幅）をベース部材１２０の左右面の幅（外幅）と若干小さく設定するように構成すれば、装着後の蓋部材１１０の弾性変形により蓋部材１１０がベース部材１２０を挟持した状態を形成でき、或いは、蓋部材１１０に形成されたガイドレール１１２の下端部にツメ部を更に形成することにより、当該ツメ部が蓋部材１１０のガイド溝１２５の下端部に係合した状態を形成できる。【００３１】  次に、図３を参照しながら、本最良形態に係る薬液パック収納用カートリッジ１００の蓋部材１１０について説明する。ここで、図３は、蓋部材１１０の上面図である。まず、前記のように、蓋部材１１０の左右面には、二列のガイドレール１１２が夫々形成されている。そして、蓋部材１１０の上面には、略直方体状の二つの第一挟持部材１１１が、前記ガイドレール１１２から少なくともベース部材１２０の左右面の厚み分離隔した位置に取り付けられている。ここで、これら第一挟持部材１１１は、蓋部材１１０をベース部材１２０に装着する際に、ベース部材１２０側にも取り付けられている第二挟持部材１２１と協同して、ベース部材１２０に収納されている薬液パック１４０の左右端部を上下方向から挟み込む結果、装着後における、薬液パック１４０のベース部材１２０内での移動を防止することが可能となる。尚、この挟持メカニズムについては後で詳述する。【００３２】  次に、図４及び図５を参照しながら、本最良形態に係る薬液パック収納用カートリッジ１００のベース部材１２０について説明する。ここで、図４及び図５は、いずれもベース部材１２０の斜視図であり、前者が挿入面を前面から眺めたものであり、後者が背面から眺めたものである。まず、ベース部材１２０の前面（挿入面）１２０ａには、第一開口部１２２が略中央部に設けられている。ここで、薬液パック収納用カートリッジ１００をカートリッジ受入部１０にセットした際、当該カートリッジ受入部１０側から突出している薬液供給針１１は、当該第一開口部１２２を介して、カートリッジ１００内部の薬液供給口１４１に挿通することになる（これについては後述する）。また、ベース部材１２０の前面（挿入面）１２０ａには、８個の第二開口部１２３が、左右対称の位置に４個ずつ更に設けられている。ここで、薬液パック収納用カートリッジ１００をカートリッジ受入部１０にセットした際、当該カートリッジ受入部１０側から突出しているガイド部材１２は、当該ガイド部材１２の位置に対応した位置に配された第二開口部１２３が「開状態」の場合には、当該第二開口部１２３を介してカートリッジ１００内部に挿通することになる（これについても後述する）。しかしながら、これも後述するように、当該第二開口部１２３がプレート１３０の存在により「閉状態」となっている場合には、薬液パック収納用カートリッジ１００をカートリッジ受入部１０にセットしようとしても、当該カートリッジ受入部１０側から突出しているガイド部材１２が当該第二開口部１２３の裏面に配されたプレート１３０に当接する結果、当該ガイド部材１２がカートリッジ内部に挿通することができず、薬液パック収納用カートリッジ１００のカートリッジ受入部１０へのセットが妨害される。尚、この誤挿入防止メカニズムについては後で��述する。また、ベース部の左右面の内側近傍には、前記のように、蓋部材１１０をベース部材１２０に装着した際に、蓋部材１１０の第一挟持部材１１１と協同してベース部材１２０内の薬液パック１４０の左右側面を挟持するように機能する、二つの第二挟持部材１２１が前後方向に設置されている。尚、前述のように、この挟持メカニズムについても後で詳述する。【００３３】  次に、特に図５を参照しながら、ベース部材１２０内に設置されている薬液供給口固定部１２６とプレート受け部１２４を詳述する。まず、薬液供給口固定部１２６は、ベース部材１２０の前面（挿入面）１２０ａの内側略中央に設置されている。ここで、薬液供給口固定部１２６には、下方に向かって幅狭となる２段の切欠部１２６ａが形成されており、薬液パック１４０を当該固定部に装着した際には、薬液パック１４０の薬液供給口１４１のリング状の溝部１４１ａが最下段の切欠部１２６ａに嵌合する結果、薬液パック１４０の薬液供給口１４１が、第一開口部１２２と対面する位置に固定されることになる。尚、この嵌合メカニズムについても後で詳述する。次に、後述するプレート１３０を直立状態で保持するためのプレート受け部１２４が、前記薬液供給口固定部１２６を挟んだ左右２箇所に設置されている。ここで、当該プレート受け部１２４の夫々は、プレート１３０の左端と右端を支持する、左右２箇所の支持部１２４ａから構成されており、左右の支持部１２４ａ間の間隔は、プレート１３０の左右幅よりも若干大きく設定される。また、各支持部１２４ａとベース部材１２０の前面（挿入面）１２０ａまでの間隔も、プレート１３０の前後幅よりも若干大きく設定される。尚、支持部１２４ａの前記左右間隔及び前記前後間隔は、挿入すべきプレートの着脱が容易でかつ後述の誤挿入防止が確実に達成できるように、プレートのサイズに応じて適宜設定される。尚、例えば、一方の支持部１２４ａに対して他方の支持部１２４ａが位置を変更可能なように構成することも可能であり、この場合には異なった大きさの複数種のプレートにも対応することができる。【００３４】  次に、図６を参照しながら、前記プレート受け部１２４に挿入されるプレート１３０を説明する。まず、当該プレート１３０は、略方形状を成している。ここで、図６（２）は、第三開口部１３１を示している。そして、図６（１）及び（２）中の想像線（点線）の丸は、プレート１３０をプレート受け部１２４に装着した際に、ベース部材１２０の前面（挿入面）１２０ａに形成された第二開口部１２３と対面するプレート位置を示したものである。尚、図６（１）の状態でプレート１３０をプレート受け部１２４に装着した場合には、上段の４個の想像線が、第二開口部１２３と対面する箇所であり、図６（１）の上下を反転させた状態でプレート１３０をプレート受け部１２４に装着した場合には、下段の４個の想像線が、第二開口部１２３と対面する箇所である。ここで、図６（１）より分かるように、前記想像線の丸は、上下方向に関しては４個の丸からなる２段から構成され、左右方向に関しては２個の丸からなる４段から構成されている。そして、上下方向に関しては、中心線Ａを挟んで上段と下段は線対称の位置関係にあり、左右���向に関しても、中心線Ｂを挟んで第一段と第二段は第三段と第四段と線対称の位置関係にある。このような状況下、例えば、当該想像線が付された８箇所の内、図６（２）に示すように、上下２箇所に第三開口部１３１を設けるだけで、ベース部材１２０の前面（挿入面）１２０ａに設けられた４個の第二開口部１２３のいずれか一つのみが「開状態」となる全４パターンをすべて構築することができる。このことを図６及び図７を参照しながら説明すると、まず、図６（２）の状態でプレート１３０をプレート受け部１２４に装着した場合には、最も左側の第二開口部１２３のみが「開状態」となる｛図７（１）｝。次に、図６（２）をＡ軸回りに１８０度回転させた状態でプレート１３０をプレート受け部１２４に装着した場合には、左から三番目の開口部のみが「開状態」となる｛図７（２）｝。次に、図６（２）をＡ軸回りに１８０度回転させた後Ｂ軸回りに１８０度回転させた状態でプレート１３０をプレート受け部１２４に装着した場合には、最も右側の第二開口部１２３のみが「開状態」となる｛図７（３）｝。次に、図６（２）をＢ軸回りに１８０度度回転させた状態でプレート１３０をプレート受け部１２４に装着した場合には、左から四番目の開口部のみが「開状態」となる｛図７（４）｝。尚、当該プレートを装着しない場合は、カートリッジが特定されない。したがって、例えばＦＩＡにおいて全ラインに洗浄液を流す場合等、メンテナンスにも適用できる。【００３５】  尚、前記Ａ軸方向に１８０度回転させる、及び／又は、Ｂ軸方向に回転させることにより、１枚のプレートでも無数のパターンに対応可能である、という技術的思想に基づく限り、本発明は上記最良形態に何ら限定されるものではない。したがって、例えば、プレートの大きさ・形状・設置数、プレートにおける第三開口部の位置・数・段数、カートリッジ本体側の第二開口部の位置・数・段数、装置本体側のガイド部材の位置・数等を変更したものについても本発明の範囲内であることはいうまでもない。例えば、図８に一変更例として略正方形状としたプレートを示す。このように略正方形状とすることにより、Ｂ軸方向への９０度や２７０度の回転にも対応することが可能となる。【００３６】  次に、本最良形態に係る薬液パック収納用カートリッジ１００における、薬液パック１４０の左右両端を蓋部材１１０及びベース部材１２０で挟み込んで固定する挟持メカニズム、薬液パック１４０の薬液供給口１４１をカートリッジ１００内部の切欠部１２６ａに嵌合する嵌合メカニズム、薬液パック収納用カートリッジ１００を誤ったカートリッジ受入部１０に挿入した際に当該挿入を防止する誤挿入防止メカニズムを説明する前に、当該カートリッジ１００内に収納される薬液パック１４０の構造を簡単に説明する。図９は、本最良形態に係る薬液バッグの概観図である．ここで、薬液パック１４０は、例えば、ガスバリア層／強度付与層／シーラント層からなる積層体により形成された容器１４２と、前記容器１４２内に収納された薬液１４３と、前記容器１４２をヒートシールする等により、気密的・液密的に当該容器１４２に固定された薬液供給口１４１（スパウト）とから構成されている。ここで、当該容器１４２（袋体）は、収納した薬液の量に追従して変形可能であり、薬液１４３の量が減少するに従い扁平状に変形する。また、左右側部もヒートシールされており、当該箇所が、蓋部材１１０とベース部材１２０により挟み込まれてカートリッジ１００内で固定されることになる。【００３７】  そこで、まず、図１０〜図１２を参照しながら、薬液パック１４０の左右両端を蓋部材１１０及びベース部材１２０で挟み込んで固定する挟持メカニズムについて説明する。はじめに、薬液パック１４０の左右両端を挟持するために蓋部材１１０側に取り付けられた第一挟持部材１１１とベース部材１２０側に取り付けられた第二挟持部材１２１の構造について詳述する。まず、図１０は、蓋部材１１０の裏側を示した図である。当該図から分かるように、左右両側に取り付けられた第一挟持部材１１１は、前後方向に伸びた略直方体形状を成していると共に、前後方向において半円柱状の窪み部１１１ａが形成されている。他方、図１１は、ベース部材１２０に取り付けられた第二挟持部材１２１のみを概念的に抽出した図であるが、当該図から分かるように、第二挟持部材１２１も、第一挟持部材１１１と同様に、前後方向に伸びた略直方体形状を成しているが、第一挟持部材１１１とは異なり前後方向には半円柱状の突出部１２１ａが形成されている。そして、図１１に示すように、蓋部材１１０の左右に設けられた第一挟持部材１１１は、ベース部材１２０の左右に設けられた第二挟持部材１２１と夫々対向していると共に、蓋部材１１０をベース部材１２０に装着した際、第二挟持部材１２１の前記突出部１２１ａは、第一挟持部材１１１の前記窪み部１１１ａに入り込むように構成されている。そして、薬液パック１４０を薬液パック収納用カートリッジ１００内にセットする場合、まず、図１１に示すように、ベース部材１２０左右に設置された第二挟持部材１２１上に薬液パック１４０の左右両端部を載せた後、図２に示すようにベース部材１２０上に蓋部材１１０を被せることにより、図１２に示すように、薬液パック１４０の端部が第一挟持部材１１１の窪み部１１１ａ及び第二挟持部材１２１の突出部１２１ａ間で堅固に挟まれる結果、薬液パック収納用カートリッジ１００内に薬液パック１４０はしっかりと保持される。【００３８】  次に、図１３を参照しながら、薬液パック１４０の薬液供給口１４１をカートリッジ１００内部の切欠部１２６ａに嵌合する嵌合メカニズムを説明する。これは、図１３に示すように、薬液供給口固定部１２６の最下段の切欠部１２６ａ内に薬液パック１４０の薬液供給口１４１を嵌合させることにより達成される。この際、まず、当該嵌合が達成できるように、薬液供給口１４１の嵌合箇所（即ち、リング状の溝部１４１ａ）から当該口の先端までの距離が、ベース部材１２０の前面（挿入面）１２０ａの内側から薬液供給口固定部１２６までの距離よりも短いものである必要がある。但し、当該距離が余りに短すぎると（換言すれば、薬液供給口固定部１２６がベース部材１２０の前面から余りに離隔していると）、相対的に第一開口部１２２から薬液供給口１４１までの距離が長くなり、装置側に設置される薬液供給針１１を長くする必要があるので、この点も踏まえ適切な距離��設定すべきである。【００３９】  次に、図１４〜図１７を参照しながら、薬液パック収納用カートリッジ１００を誤ったカートリッジ受入部１０に挿入した際に当該挿入を防止する誤挿入防止メカニズムを説明する。尚、以下では、挿入方向に対してガイド部材１２が一番右に設置されている（図４でいえば、一番左の第二開口部１２３の位置に対向した形でガイド部材１２が設置されている）カートリッジ受入部用としたカートリッジ１００を例にとり説明する。また、ここでの説明で「右」・「左」という用語は、図１４〜図１７に記載されたものを基準としている。まず、図１４に示すように、左側のプレート受け部１２４には、第三開口部１３１が全く存在しないプレート１３０｛図６（１）のプレート｝を挿入する一方、右側のプレート受け部１２４には、上段の右端に第三開口部１３１が存在するような状態でプレート１３０を挿入する。この結果、図１５に示すように、ベース部材１２０の前面（挿入面）左に形成された４個の第二開口部１２３はすべて「閉状態」となる一方、ベース部材１２０の前面（挿入面）右に形成された４個の第二開口部１２３に関しては、左から３個までが「閉状態」となるが一番右の第二開口部１２３は「開状態」となる。尚、右側のプレート受け部１２４に挿入したプレート１３０は下段の右から２番目に第三開口部１３１を有しているが、当該開口部は、ベース部材１２０の前面（挿入面）に形成されたいずれの第二開口部１２３にも対向していないので、ここでは当該開口部は第二開口部１２３の閉塞には何ら関与しない。【００４０】  次に、図１５のように二枚のプレート１３０を左右のプレート受け部１２４に挿入した状況下、正しいカートリッジ受入部（即ち、挿入方向に対してガイド部材１２が一番右に設置されているカートリッジ受入部１０）に挿入した場合と、誤ったカートリッジ受入部（本例では、挿入方向に対してガイド部材１２が右から三番目に設置されているカートリッジ受入部１０）に挿入した場合について説明する。尚、理解の容易上、以下の図では蓋部材１１０を除いたものを示しているが、実際には蓋部材１１０は取り付けられている。まず、図１６を参照しながら、正しいカートリッジ受入部（即ち、挿入方向に対してガイド部材１２が一番右に設置されているカートリッジ受入部１０）に挿入した場合について説明する。まず、図１６（ａ）に示すように、薬液パック収納用カートリッジ１００を矢印方向に挿入すると、まず、装置側に設けられたガイド部材１２が、対応する位置に配された第二開口部１２３（一番右の第二開口部１２３）内に進入する。そして、ガイド部材１２は、薬液収納用カートリッジ１００の矢印方向への更なる挿入に従い、当該第二開口部１２３を超えて右のプレート１３０に到達する。ここで、右のプレート１３０の、ガイド部材１２が到達した箇所には、第三開口部１３１が設けられている。したがって、当該プレート１３０の存在によってはガイド部材１２の更なる進入が抑制されない結果、図１６（ｂ）に示すように、当該カートリッジ１００は、当該カートリッジ受入部１０内に完全に挿入される。【００４１】  次に、図１７を参照しながら、誤ったカートリッジ受入部（本例では、挿入方向に対し��ガイド部材１２が右から三番目に設置されているカートリッジ受入部１０）に挿入した場合について説明する。まず、図１７（ａ）に示すように、薬液パック収納用カートリッジ１００を矢印方向に挿入すると、まず、装置側に設けられたガイド部材１２が、対応する位置に配された第二開口部１２３（右から三番目の第二開口部１２３）内に進入する。そして、ガイド部材１２は、薬液パック収納用カートリッジ１００の矢印方向への更なる挿入に従い、当該第二開口部１２３を超えて右のプレート１３０に到達する。ここで、右のプレート１３０の、ガイド部材１２が到達した箇所には、開口部は形成されていない。したがって、図１７（ｂ）に示すように、薬液パック収納用カートリッジ１００の矢印方向へ更に挿入したとき、ガイド部材１２は右プレート１３０に当接する結果、カートリッジ１００のこれ以上の挿入が抑制される。ここで、前記のように、ガイド部材１２の長さ（図中の「Ｙ」）は薬液供給針１１の長さ（図中の「Ｘ」）よりも大きく設定されているので、当該当接時点では、薬液供給針１１は、まだ当該カートリッジ１００内には進入していない（或いは薬液パック１４０の薬液供給口１４１を挿通する程には進入していない）。したがって、異なる薬液に薬液供給針１１が接触するという事態を回避することができる。【００４２】  尚、図示しないが、誤った向きで挿入した場合も説明する。即ち、図１６や図１７において、カートリッジ１００を逆向き（即ち、１８０度回転させた向き）で挿入した場合を説明する。この場合、薬液パック収納用カートリッジ１００を矢印方向に挿入したとき、装置壁面から距離「Ｙ」だけ離隔した地点で、ガイド部材１２が薬液パック収納用カートリッジ１００に当接する結果、カートリッジ１００をこれ以上挿入することが不可能となる。ここで、前記のように、ガイド部材１２の長さ（図中の「Ｙ」）は薬液供給針１１の長さ（図中の「Ｘ」）よりも大きく設定されているので、当該当接時点では、薬液供給針１１は、まだ当該カートリッジ１００には当接していない。したがって、薬液供給針１１が当該カートリッジに当接することにより薬液供給針１１が破損するという事態を回避することができる。
【図面の簡単な説明】
【００４３】
【図１】図１は、本最良形態に係るカートリッジ受入部の概観図である。
【図２】図２は、本最良形態に係るカートリッジ受入部の蓋部材及びベース部材の概観図である。
【図３】図３は、本最良形態に係るカートリッジ受入部の蓋部材の上側面図である。
【図４】図４は、本最良形態に係るカートリッジ受入部のベース部材の上側面図である。
【図５】図５は、本最良形態に係るカートリッジ受入部のベース部材の上側面図である。
【図６】図６は、本最良形態に係るプレートの側面図である。
【図７】図７は、本最良形態に係る、プレートの挿入パターンの相違（保持態様の相違）に基づく、４種類の第二開口部の開状態・閉状態パターンを示した図である。
【図８】図８は、本最良形態の変更例に係る、プレートの挿入パターンの相違（保持態様の相違）に基づく、４種類の第二開口部の開状態・閉状態パターンを示した図である。
【図９】図９は、本最良形態に係る薬液パックの上面図である。
【図１０】図１０は、本最良形態に係るカートリッジ受入部の蓋部材の裏側面図である。
【図１１】図１１は、本最良形態に係る、薬液パックが蓋部材及びベース部材とで挟持される際の様子を示した図である。
【図１２】図１２は、本最良形態に係る、薬液パックが蓋部材及びベース部材とで完全に挟持された様子を示した図である。
【図１３】図１３は、本最良形態に係る、薬液パックがベース部材内に収納された際の様子を示した図である。
【図１４】図１４は、本最良形態に係る、２枚のプレートがベース部材内に収納される際の様子を示した図である。
【図１５】図１５は、本最良形態に係る、２枚のプレートがベース部材内に収納された様子を示した図である。
【図１６】図１６は、本最良形態に係る、カートリッジが正しく挿入された際の様子を示した図である。
【図１７】図１７は、本最良形態に係る、カートリッジが誤って挿入された際の様子を示した図である。
【図１８】図１８は、本最良形態に係る、装置のシステム構成を示した概念図である。
【図１９】図１９は、従来の誤挿入防止手段を示した図である。
【符号の説明】
【００４４】１  分析装置
１０  カートリッジ受入部
１１  薬液供給針
１２  ガイド部材
１００  薬液パック収納用カートリッジ
１２０ａ  側壁
１２２  第一開口部
１２３  第二開口部
１２４  プレート受け部
１３０  プレート
１３１  第三開口部
１４０  薬液パック
１４１  薬液供給口
【図１】
2007132520.tif 000003
【図２】
2007132520.tif 000004
【図３】
2007132520.tif 000005
【図４】
2007132520.tif 000006
【図５】
2007132520.tif 000007
【図６】
2007132520.tif 000008
【図７】
2007132520.tif 000009
【図８】
2007132520.tif 000010
【図９】
2007132520.tif 000011
【図１０】
2007132520.tif 000012
【図１１】
2007132520.tif 000013
【図１２】
2007132520.tif 000014
【図１３】
2007132520.tif 000015
【図１４】
2007132520.tif 000016
【図１５】
2007132520.tif 000017
【図１６】
2007132520.tif 000018
【図１７】
2007132520.tif 000019
【図１８】
2007132520.tif 000020
【図１９】
2007132520.tif 000021
【手続補正書】
【提出日】平成18年12月13日(2006.12.13)
【手続補正２】
【補正対象書類名】特許請求の範囲
【補正対象項目名】全文
【補正方法】変更
【補正の内容】
【特許請求の範囲】
【請求項１】
液体供給口を備えた液体パックを分析装置内部に装着するカートリッジであって、
前記カートリッジの一側面上に設けられ、装着された前記液体パックの前記液体供給口とその位置が整合する第一開口部と、
前記第一開口部が設けられた前記側面上又はこれと異なる側面上に設けられた複数の第二開口部と、
前記複数の第二開口部の少なくとも一部を閉鎖する部材を保持する保持機構と
を有するカートリッジであって、前記複数の第二開口部のうち、閉鎖される第二開口部の組み合わせが前記液体パックに充填されている液体種別に応じることを特徴とするカートリッジ。
【請求項２】
前記複数の第二開口部は、前記保持機構による前記部材の保持態様を変更することにより、同一部材であっても、異なる閉鎖パターンが構築され得る位置に設けられている、請求項１記載のカートリッジ。
【請求項３】
前記機構を複数有する、請求項１又は２記載のカートリッジ。
【請求項４】
請求項１〜３のいずれか一項記載のカートリッジ用である、一又は複数の第三開口部を有する部材。
【請求項５】
請求項１〜３のいずれか一項記載のカートリッジを挿入可能であると共に、前記カートリッジ装着時には、前記第一開口部とその位置が整合する一の液体供給針と、前記複数の第二開口部のいずれかとその位置が整合する一又は複数の棒状部材とを内部に備えた、複数のカートリッジ受入部を有する分析装置。
【請求項６】
前記棒状部材が一つの場合には、少なくとも複数のカートリッジ受入部に関し、当該棒状部材の位置が、当該複数のカートリッジ受入部毎に異なっており、前記棒状部材が複数の場合には、少なくとも複数のカートリッジ受入部に関し、当該棒状部材の少なくとも一部の位置が、当該複数のカートリッジ受入部毎に異なっている、請求項５記載の分析装置。
【請求項７】
前記一又は複数の棒状部材は、前記挿入方向に突出している、請求項５又は６記載の分析装置。
【請求項８】
前記液体供給針は、前記挿入方向に沿って突出していると共に、前記一又は複数の棒状部材は、前記液体供給針よりも長い、請求項７記載の分析装置。
【請求項９】
前記液体供給針を介して、二種類以上の前記液体パックから二液以上を導入する手段と、当該二液以上を混合する手段を備えた、請求項５〜８のいずれか一項記載の分析装置。
【請求項１０】
フロー分析装置である、請求項５〜９のいずれか一項記載の装置。
【手続補正３】
【補正対象書類名】明細書
【補正対象項目名】０００９
【補正方法】変更
【補正の内容】
【０００９】
本発明（１）は、液体供給口（薬液供給口１４１）を備えた液体パック（薬液パック１４０）を内部に装着するカートリッジ（薬液パック収納用カートリッジ１００）であって、
前記カートリッジ（薬液パック収納用カートリッジ１００）の一側面上に設けられ、装着された前記液体パック（薬液パック１４０）の前記液体供給口（薬液供給口１４１）とその位置が整合する第一開口部（第一開口部１２２）と、
前記第一開口部（第一開口部１２２）が設けられた前記側面上又はこれと異なる側面上に設けられた複数の第二開口部（第二開口部１２３）と、
前記複数の第二開口部（第二開口部１２３）の少なくとも一部を閉鎖する部材（プレート１３０）を保持する保持機構（プレート受け部１２４）と
を有するカートリッジ（薬液パック収納用カートリッジ１００）であって、前記複数の第二開口部（第二開口部１２３）のうち、閉鎖される第二開口部（第二開口部１２３）の組み合わせが前記液体パック（薬液パック１４０）に充填されている液体種別に応じることを特徴とするカートリッジ（薬液パック収納用カートリッジ１００）である。
【手続補正４】
【補正対象書類名】明細書
【補正対象項目名】００１３
【補正方法】変更
【補正の内容】
【００１３】
本発明（２）は、前記複数の第二開口部（第二開口部１２３）は、前記保持機構（プレート受け部１２４）による前記部材（プレート１３０）の保持態様を変更することにより、同一部材であっても、異なる閉鎖パターン（又は開状態・閉状態パターン）が構築され得る位置に設けられている、前記発明（１）のカートリッジ（薬液パック収納用カートリッジ１００）である。
【手続補正５】
【補正対象書類名】明細書
【補正対象項目名】００１５
【補正方法】変更
【補正の内容】
【００１５】
本発明（４）は、前記発明（１）〜（３）のいずれか一つのカートリッジ（薬液パック収納用カートリッジ１００）用である、一又は複数の第三開口部（第三開口部１３１）を有する部材（プレート１３０）である。ここで、具体的には、カートリッジが当該部材を保持した状況下では、当該一又は複数の第三開口部は、前記複数の第二開口部のいずれかとその位置が整合する結果、前記複数の第二開口部（第二開口部１２３）の閉鎖パターン（又は開状態・閉状態パターン）が構築される。
【手続補正６】
【補正対象書類名】明細書
【補正対象項目名】００１７
【補正方法】変更
【補正の内容】
【００１７】
本発明（５）は、前記発明（１）〜（３）のいずれか一つのカートリッジ（薬液パック収納用カートリッジ１００）を挿入可能であると共に、前記カートリッジ装着時には、前記第一開口部（第一開口部１２２）とその位置が整合する一の液体供給針（薬液供給針１１）と、前記複数の第二開口部（第二開口部１２３）のいずれかとその位置が整合する一又は複数の棒状部材（ガイド部材１２）とを内部に備えた、複数のカートリッジ受入部（カートリッジ受入部１０）を有する装置である。
【手続補正書】
【提出日】平成19年8月23日(2007.8.23)
【手続補正１】
【補正対象書類名】特許請求の範囲
【補正対象項目名】請求項４
【補正方法】変更
【補正の内容】
【請求項４】
請求項１〜３のいずれか一項記載のカートリッジの前記保持機構により保持される、一又は複数の第三開口部を有するカートリッジ用部材であって、前記カートリッジが当該部材を保持した状況下では、当該一又は複数の第三開口部の内少なくとも一開口部は、前記複数の第二開口部のいずれかとその位置が整合するよう構成された部材。
【国際調査報告】
2007132520.tif 000022
2007132520.tif 000023
2007132520.tif 000024
2007132520.tif 000025